【手続補正書】
【提出日】平成16年4月28日(2004.4.28)
【手続補正１】
【補正対象書類名】明細書
【補正対象項目名】特許請求の範囲
【補正方法】変更
【補正の内容】
【特許請求の範囲】
【請求項１】
他の情報処理装置と無線で通信することが可能な情報処理装置において、
前記他の情報処理装置への情報の送信の開始をユーザが指令するための操作入力を受ける入力手段と、
前記入力手段による操作入力に基づいて、前記情報の送信距離を算出する算出手段と、
前記算出手段による算出結果に基づいて、前記他の情報処理装置への前記情報の送信を制御する制御手段と、
前記制御手段の制御により、前記他の情報処理装置に送信する前記情報の送信電力を増幅する増幅手段と
を備え、
前記情報は、通信先となる前記他の情報処理装置を探索するための信号である
ことを特徴とする情報処理装置。
【請求項２】
前記入力手段は、ボタンで構成され、
前記算出手段は、前記ボタンの操作回数に基づいて、前記情報の送信範囲を算出する
ことを特徴とする請求項１に記載の情報処理装置。
【請求項３】
前記入力手段は、ボタンで構成され、
前記算出手段は、前記ボタンの押下時間に基づいて、前記情報の送信範囲を算出する
ことを特徴とする請求項１に記載の情報処理装置。
【請求項４】
前記入力手段は、ボタンで構成され、
前記算出手段は、前記ボタンの押下強さに基づいて、前記情報の送信範囲を算出する
ことを特徴とする請求項１に記載の情報処理装置。
【請求項５】
前記入力手段は、ボタンで構成され、
前記算出手段は、前記ボタンの押下速さに基づいて、前記情報の送信範囲を算出する
ことを特徴とする請求項１に記載の情報処理装置。
【請求項６】
前記入力手段は、ジョグダイヤルで構成され、
前記算出手段は、前記ジョグダイヤルの回転角度に基づいて、前記情報の送信範囲を算出する
ことを特徴とする請求項１に記載の情報処理装置。
【請求項７】
前記制御手段は、前記ジョグダイヤルが回転の中心方向へ押下された場合、前記他の情報処理装置との通信を開始する
ことを特徴とする請求項６に記載の情報処理装置。
【請求項８】
前記入力手段は、タッチパッドで構成され、
前記算出手段は、前記タッチパッドに触れている物体の移動距離に基づいて、前記情報の送信範囲を算出する
ことを特徴とする請求項１に記載の情報処理装置。
【請求項９】
前記入力手段は、タッチパッドで構成され、
前記算出手段は、前記タッチパッドに物体が触れている時間に基づいて、前記情報の送信範囲を算出する
ことを特徴とする請求項１に記載の情報処理装置。
【請求項１０】
前記入力手段は、レバーで構成され、
前記算出手段は、前記レバーの移動距離に基づいて、前記情報の送信範囲を算出する
ことを特徴とする請求項１に記載の情報処理装置。
【請求項１１】
前記入力手段は、マウスで構成され、
前記算出手段は、前記マウスの移動距離に基づいて、前記情報の送信範囲を算出する
ことを特徴とする請求項１に記載の情報処理装置。
【請求項１２】
前記入力手段は、ジョイスティックで構成され、
前記算出手段は、前記ジョイスティックの操作角度に基づいて、前記情報の送信範囲を算出する
ことを特徴とする請求項１に記載の情報処理装置。
【請求項１３】
前記制御手段により制御される前記情報の送信範囲に関する情報を通知する通知手段
を更に備えることを特徴とする請求項１に記載の情報処理装置。
【請求項１４】
前記通知手段はＬＥＤで構成されている
ことを特徴とする請求項１３に記載の情報処理装置。
【請求項１５】
前記ＬＥＤは、前記入力手段と一体で構成されている
ことを特徴とする請求項１４に記載の情報処理装置。
【請求項１６】
前記通知手段を構成するＬＥＤは２つ以下である
ことを特徴とする請求項１４に記載の情報処理装置。
【請求項１７】
前記ＬＥＤは、点滅速度を、前記情報の送信範囲によって変更する
ことを特徴とする請求項１４に記載の情報処理装置。
【請求項１８】
前記制御手段により送信が制御された前記問い合わせ信号に対する応答信号の受信を制御する受信制御手段と、
前記受信制御手段により、前記応答信号の受信待ち受け状態であることを通知する通知手段と
を更に備えることを特徴とする請求項１に記載の情報処理装置。
【請求項１９】
前記通知手段は、前記制御手段により制御される前記問い合わせ信号の送信範囲に関する情報を更に通知する
ことを特徴とする請求項１８に記載の情報処理装置。
【請求項２０】
前記通知手段は、前記受信制御手段による前記応答信号の受信結果を更に通知する
ことを特徴とする請求項１８に記載の情報処理装置。
【請求項２１】
前記通知手段はＬＥＤで構成されている
ことを特徴とする請求項１８に記載の情報処理装置。
【請求項２２】
前記ＬＥＤは、前記入力手段と一体で構成されている
ことを特徴とする請求項２１に記載の情報処理装置。
【請求項２３】
前記通知手段を構成するＬＥＤは２つ以下である
ことを特徴とする請求項２１に記載の情報処理装置。
【請求項２４】
前記制御手段により送信が制御された前記問い合わせ信号に対する応答信号の受信を制御する受信制御手段と、
前記受信制御手段による前記応答信号の受信結果を通知する通知手段と
を更に備えることを特徴とする請求項１に記載の情報処理装置。
【請求項２５】
前記通知手段は、前記制御手段により制御される前記問い合わせ信号の送信範囲に関する情報を更に通知する
ことを特徴とする請求項２４に記載の情報処理装置。
【請求項２６】
前記通知手段はＬＥＤで構成されている
ことを特徴とする請求項２４に記載の情報処理装置。
【請求項２７】
前記ＬＥＤは、前記入力手段と一体で構成されている
ことを特徴とする請求項２６に記載の情報処理装置。
【請求項２８】
前記通知手段を構成するＬＥＤは２つ以下である
ことを特徴とする請求項２６に記載の情報処理装置。
【請求項２９】
前記ＬＥＤは、点灯時の明るさを、前記受信制御手段による前記応答信号の受信数によって変更する
ことを特徴とする請求項２６に記載の情報処理装置。
【請求項３０】
他の情報処理装置と無線で通信することが可能な情報処理装置の情報処理方法において、
前記他の情報処理装置への情報の送信の開始をユーザが指令するための操作入力を制御する入力制御ステップと、
前記入力制御ステップの処理により入力が制御された操作内容に基づいて、前記情報の送信距離を算出する算出ステップと、
前記算出ステップの処理による算出結果に基づいて、前記他の情報処理装置への前記情報の送信を制御する制御ステップと、
前記制御ステップの処理により前記他の情報処理装置への送信が制御される前記情報の送信電力を増幅する増幅ステップと
を含み、
前記情報は、通信先となる前記他の情報処理装置を探索するための信号である
ことを特徴とする情報処理方法。
【請求項３１】
他の情報処理装置と無線で通信することが可能な情報処理装置用のプログラムであって、
前記他の情報処理装置への情報の送信の開始をユーザが指令するための操作入力を制御する入力制御ステップと、
前記入力制御ステップの処理により入力が制御された操作内容に基づいて、前記情報の送信距離を算出する算出ステップと、
前記算出ステップの処理による算出結果に基づいて、前記他の情報処理装置への前記情報の送信を制御する制御ステップと、
前記制御ステップの処理により前記他の情報処理装置への送信が制御される前記情報の送信電力を増幅する増幅ステップと
を含み、
前記情報は、通信先となる前記他の情報処理装置を探索するための信号である
ことを特徴とするコンピュータが読み取り可能なプログラムが記録されている記録媒体。
【請求項３２】
他の情報処理装置と無線で通信することが可能な情報処理装置を制御するコンピュータが実行可能なプログラムであって、
前記他の情報処理装置への情報の送信の開始をユーザが指令するための操作入力を制御する入力制御ステップと、
前記入力制御ステップの処理により入力が制御された操作内容に基づいて、前記情報の送信距離を算出する算出ステップと、
前記算出ステップの処理による算出結果に基づいて、前記他の情報処理装置への前記情報の送信を制御する制御ステップと、
前記制御ステップの処理により前記他の情報処理装置への送信が制御される前記情報の送信電力を増幅する増幅ステップと
を含み、
前記情報は、通信先となる前記他の情報処理装置を探索するための信号である
ことを特徴とするプログラム。
【手続補正２】
【補正対象書類名】明細書
【補正対象項目名】００１３
【補正方法】変更
【補正の内容】
【００１３】
【課題を解決するための手段】
本発明の情報処理装置は、他の情報処理装置への情報の送信の開始をユーザが指令するための操作入力を受ける入力手段と、入力手段による操作入力に基づいて、情報の送信距離を算出する算出手段と、算出手段による算出結果に基づいて、他の情報処理装置への情報の送信を制御する制御手段と、制御手段の制御により、他の情報処理装置に送信する情報の送信電力を増幅する増幅手段とを備え、情報は、通信先となる他の情報処理装置を探索するための信号であることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
入力手段は、ボタンで構成されるものとすることができ、算出手段には、ボタンの操作回数に基づいて、情報の送信範囲を算出させるようにすることができる。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
入力手段は、ボタンで構成されるものとすることができ、算出手段には、ボタンの押下時間に基づいて、情報の送信範囲を算出させるようにすることができる。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】変更
【補正の内容】
【００２１】
入力手段は、ボタンで構成されるものとすることができ、算出手段には、ボタンの押下強さに基づいて、情報の送信範囲を算出させるようにすることができる。
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
入力手段は、ボタンで構成されるものとすることができ、算出手段には、ボタンの押下速さに基づいて、情報の送信範囲を算出させるようにすることができる。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】変更
【補正の内容】
【００２５】
入力手段は、ジョグダイヤルで構成されるものとすることができ、算出手段には、ジョグダイヤルの回転角度に基づいて、情報の送信範囲を算出させるようにすることができる。
【手続補正１５】
【補正対象書類名】明細書
【補正対象項目名】００２６
【補正方法】変更
【補正の内容】
【００２６】
制御手段には、ジョグダイヤルが回転の中心方向へ押下された場合、他の情報処理装置との通信を開始させるようにすることができる。
【手続補正１６】
【補正対象書類名】明細書
【補正対象項目名】００２７
【補正方法】変更
【補正の内容】
【００２７】
入力手段は、タッチパッドで構成されるものとすることができ、算出手段には、タッチパッドに触れている物体の移動距離に基づいて、情報の送信範囲を算出させるようにすることができる。
【手続補正１７】
【補正対象書類名】明細書
【補正対象項目名】００２８
【補正方法】変更
【補正の内容】
【００２８】
入力手段は、タッチパッドで構成されるものとすることができ、算出手段には、タッチパッドに物体が触れている時間に基づいて、情報の送信範囲を算出させるようにすることができる。
【手続補正１８】
【補正対象書類名】明細書
【補正対象項目名】００２９
【補正方法】変更
【補正の内容】
【００２９】
入力手段は、レバーで構成されるものとすることができ、算出手段には、レバーの移動距離に基づいて、情報の送信範囲を算出させるようにすることができる。
【手続補正１９】
【補正対象書類名】明細書
【補正対象項目名】００３０
【補正方法】変更
【補正の内容】
【００３０】
入力手段は、マウスで構成されるものとすることができ、算出手段には、マウスの移動距離に基づいて、情報の送信範囲を算出させるようにすることができる。
【手続補正２０】
【補正対象書類名】明細書
【補正対象項目名】００３１
【補正方法】変更
【補正の内容】
【００３１】
入力手段は、ジョイスティックで構成されるものとすることができ、算出手段には、ジョイスティックの操作角度に基づいて、情報の送信範囲を算出させるようにすることができる。
【手続補正２１】
【補正対象書類名】明細書
【補正対象項目名】００４９
【補正方法】変更
【補正の内容】
【００４９】
本発明の情報処理方法は、他の情報処理装置への情報の送信の開始をユーザが指令するための操作入力を制御する入力制御ステップと、入力制御ステップの処理により入力が制御された操作内容に基づいて、情報の送信距離を算出する算出ステップと、算出ステップの処理による算出結果に基づいて、他の情報処理装置への情報の送信を制御する制御ステップと、制御ステップの処理により他の情報処理装置への送信が制御される情報の送信電力を増幅する増幅ステップとを含み、情報は、通信先となる他の情報処理装置を探索するための信号であることを特徴とする。
【手続補正２２】
【補正対象書類名】明細書
【補正対象項目名】００５０
【補正方法】変更
【補正の内容】
【００５０】
本発明の記録媒体に記録されているプログラムは、他の情報処理装置への情報の送信の開始をユーザが指令するための操作入力を制御する入力制御ステップと、入力制御ステップの処理により入力が制御された操作内容に基づいて、情報の送信距離を算出する算出ステップと、算出ステップの処理による算出結果に基づいて、他の情報処理装置への情報の送信を制御する制御ステップと、制御ステップの処理により他の情報処理装置への送信が制御される情報の送信電力を増幅する増幅ステップとを含み、情報は、通信先となる他の情報処理装置を探索するための信号であることを特徴とする。
【手続補正２３】
【補正対象書類名】明細書
【補正対象項目名】００５１
【補正方法】変更
【補正の内容】
【００５１】
本発明のプログラムは、他の情報処理装置への情報の送信の開始をユーザが指令するための操作入力を制御する入力制御ステップと、入力制御ステップの処理により入力が制御された操作内容に基づいて、情報の送信距離を算出する算出ステップと、算出ステップの処理による算出結果に基づいて、他の情報処理装置への情報の送信を制御する制御ステップと、制御ステップの処理により他の情報処理装置への送信が制御される情報の送信電力を増幅する増幅ステップとを含み、情報は、通信先となる他の情報処理装置を探索するための信号であることを特徴とする。
【手続補正２４】
【補正対象書類名】明細書
【補正対象項目名】００５２
【補正方法】変更
【補正の内容】
【００５２】
本発明の情報処理装置、および情報処理方法、並びにプログラムにおいては、他の情報処理装置へ情報の送信の開始をユーザが指令するための操作が入力され、入力された操作内容に基づいて、情報の送信距離が算出され、他の情報処理装置へ送信される情報の送信電力が増幅され、算出結果に基づいて、他の情報処理装置へ情報が送信され、情報は、通信先となる他の情報処理装置を探索するための信号であるものとされる。
【手続補正２５】
【補正対象書類名】明細書
【補正対象項目名】０１６８
【補正方法】変更
【補正の内容】
【０１６８】
【発明の効果】
本発明によれば、他の情報処理装置と無線通信を行うことができる。
また、本発明によれば、ユーザの操作内容に基づいて、情報の送信範囲を算出するようにしたので、複雑な操作をユーザに行わせることなく、所望の機器との無線通信を確立することができる。